(57)【要約】      （修正有）【課題】光を照射するユニットとしての光源ユニットを一部に集中させることができ、さらに複数の方向から光を照射することができる栽培用照明器具を提供する。【解決手段】植物が植栽される鉢１５と、鉢１５の下方に配置される光源を備えた光源ユニット２０と、光源から照射された光を入射端面から入射し、入射端面と反対側の出射端面３２から光を出射する導光板３０とを備え、導光板３０の出射端面３２は、鉢１５に植栽される植物に向かって光が出射するように配置する。【選択図】図１
2014212716.tif 000002
【特許請求の範囲】
【請求項１】
植物が植栽される鉢と、
前記鉢の下方に配置される光源を備えた光源ユニットと、
前記光源から照射された光が入射端面から入射され、少なくとも前記入射端面と反対側の出射端面から光を出射する導光板と、を備え、
前記導光板の前記出射端面は、前記鉢に植栽される植物に向かって光が出射するように配置されていることを特徴とする栽培用照明器具。
【請求項２】
前記導光板は、少なくとも一部に拡散溝又は拡散ドットを有する拡散主面と、光源から入射された光を出射する出射主面と、を備え、
前記出射主面の一部は、前記鉢に植栽される植物に向かって光を出射するように前記鉢の外周又は外周近傍に配置されていることを特徴とする請求項１に記載の栽培用照明器具。
【請求項３】
さらに前記鉢の下方に配置される不透明な素材で作製される支持台を備え、前記支持台と前記鉢の間に前記光源が配置されていることを特徴とする請求項１又は２に記載の栽培用照明器具。
【請求項４】
さらに前記鉢の下面側に載置部が設けられていることを特徴とする請求項１から３のいずれか１項に記載の栽培用照明器具。
【請求項５】
前記載置部は、透明又は半透明な素材で作製されていることを特徴とする請求項４に記載の栽培用照明器具。
【請求項６】
前記載置部は、前記導光板が配置される近傍に切欠部を備えていることを特徴とする請求項４又は５に記載の栽培用照明器具。
【請求項７】
前記導光板は、
前記鉢の下方に水平に配置される水平部と、
前記水平部から上方へ延設される立設部と、
前記立設部の上方で鉢側に折り返すように屈曲して延設される折返部と、
を備えていることを特徴とする請求項１から６のいずれか１項に記載の栽培用照明器具。
【請求項８】
前記折返部の出射端面は、鉢に植栽される植物に対して光が出射するように形成されていることを特徴とする請求項７に記載の栽培用照明器具。
【請求項９】
前記導光板は、全面に拡散溝又は拡散ドットを有する拡散主面と、光源から入射された光を出射する出射主面と、を備えていることを特徴とする請求項１から８のいずれか１項に記載の栽培用照明器具。
【請求項１０】
前記導光板は、複数備えられており、前記出射端面からの光が植物に照射される際に、前記出射端面からの光が重なり合うように出射することを特徴とする請求項１から９のいずれか１項に記載の栽培用照明器具。
【請求項１１】
前記鉢は、前記導光板と同じ透明度及び色を有する素材で作製されていることを特徴とする請求項１から１０のいずれか１項に記載の栽培用照明器具。
【発明の詳細な説明】
【技術分野】
【０００１】
本発明は、栽培用照明器具に関する。
【背景技術】
【０００２】
従来、栽培用照明器具として、鉢設置台の底に水槽内を照明する発光ダイオード部を設け、鉢設置台の内側に通気・給水用の筒を設ける構造とし、鉢物の光源は水槽設置台に立つ支柱の先端に発光ダイオード部を設置、別途に鉢を製作し、鉢設置台に入れて使用するものがある。
【０００３】
しかしながら、かかる栽培用照明器具は、発光ダイオードが鉢物の上方に配置されているため、配線等を鉢の上側に配置しなければならなかった。また、複数の方向から光を照射する場合には、複数の配線等を準備しなければならなかった。
【先行技術文献】
【特許文献】
【０００４】
【特許文献１】特開２０１０−２３９９５３号公報
【発明の開示】
【発明が解決しようとする課題】
【０００５】
本発明は、このような課題に鑑みなされたものであり、光を照射するユニットとしての光源ユニットを一部に集中させることができ、かつ、複数の方向から光を照射することができる栽培用照明器具を提供することを主目的とする。
【課題を解決するための手段】
【０００６】
本発明は、上述の主目的を達成するために、以下の手段を採った。
【０００７】
本発明にかかる栽培用照明器具は、
植物が植栽される鉢と、
前記鉢の下方に配置される光源を備えた光源ユニットと、
前記光源から照射された光が入射端面から入射され、少なくとも前記入射端面と反対側の出射端面から光を出射する導光板と、を備え、前記導光板の前記出射端面は、前記鉢に植栽される植物に向かって光が出射するように配置されていることを特徴とする。
【０００８】
本発明にかかる栽培用照明器具によれば、栽培用照明器具の下方に配置される光源から照射される光が導光板を介して伝達され、鉢に植栽される植物の上方側から効果的に照射することができる。この際に、光は主として導光板の出射端面から照射されるため、ピンスポット的な集中した光を植物に上方から照射させることができる。
【０００９】
また、本発明にかかる栽培用照明器具において、前記導光板は、少なくとも一部に拡散溝又は拡散ドットを有する拡散主面と、光源から入射された光を出射する出射主面と、を備え、
前記出射主面の一部は、前記鉢に植栽される植物に向かって光を出射するように前記鉢の外周又は外周近傍に配置されていてもよい。かかる構成を採用することによって、前述した出射端面からはピンスポット的な集中した光を植物に照射しつつ、主面からは広く植物全体を照射することができる。これにより、例えば、植物の成長に必要な光を植物の葉や花等に出射端面によってピンスポット的に照射しつつ、観賞用の光を主面によって植物全体に広く照射することができる。
【００１０】
さらに、本発明にかかる栽培用照明器具において、さらに前記鉢の下方に配置される不透明な素材で作製される支持台を備え、前記支持台と前記鉢の間に前記光源が配置されていてもよい。光源が鉢の下方に配置されることで、鉢の上方に光源ユニットの構成部材が配置されることがなくなり、鉢等の載置領域を広く確保することができる。また、光源ユニットが鉢の下面側に配置されるため、上方から光源ユニットの各構成部品が見えづらくなり、美観的に優れたものとなる。また、不透明な支持台の上面に光源が配置されることによって、支持台の素材に応じて様々な光を上方へ反射することができる。例えば、鏡面加工の金属素材であれば、光を拡散することなく反射させることができる。また、粗面で作製された白色の素材であれば、乱反射して柔らかい光を反射させることができる。
【００１１】
さらに、本発明にかかる栽培用照明器具において、さらに前記鉢の下面側に載置部が設けられているものであってもよい。載置部を設けることによって、載置部の形態や素材を変更することで、異なる印象の栽培用照明器具とすることができる。例えば、不透明な素材を使用すれば、鉢の下面からの光は遮断されて植物の側面又は上方のみから光を照射可能な栽培用照明器具とすることができる。
【００１２】
さらに、本発明にかかる栽培用照明器具において、前記載置部は、透明又は半透明な素材で作製されているものであってもよい。載置部に透明な素材を使用すれば、光源からの光の一部が下面から鉢又は植物に照射可能な栽培用照明器具とすることができる。また半透明な素材、例えば、乳半板等を使用すれば、下方から拡散した光を照射可能な栽培用照明器具とすることができる。
【００１３】
さらに、本発明にかかる栽培用照明器具において、前記載置部は、透明又は半透明な素材で作製されている場合に、前記導光板を前記鉢と前記支持台との間に配置することにより、光源ユニットからの光が透明又は半透明な載置部を介して載置部の下面側から上方へ照射される。これにより、出射端面及び出射主面に加えて、植物の下方側からも光を照射することができる。こうして、植物又は鉢全体を明るく浮かび上がらせることができ、観賞用としても優れた栽培用照明器具とすることができる。
【００１４】
さらに、本発明にかかる栽培用照明器具において、前記載置部は、前記導光板が配置される近傍に切欠部を備えているものであってもよい。載置部に切欠部を設けることによって、導光板を配置する際に、この切欠部に導光板を配置することによって、導光板が常に均等に分割された方向へ位置決めされ、美観に優れた栽培用照明器具を提供することができる。
【００１５】
さらに、本発明にかかる栽培用照明器具において、前記導光板は、前記鉢の下方に水平に配置される水平部と、前記水平部から上方へ延設される立設部と、前記立設部の上方で鉢側に折り返すように屈曲して延設される折返部と、を備えているものであってもよい。かかる導光板を使用することによって、鉢の下方に配置される光源の光は、それぞれ主面からの光が、水平部からは植物の下方から上方方向へ光を照射することができ、立設部からは載置される植物の側方方向から光を照射することができ、折返部からは載置される植物の上方から下方方向への光を照射することができる。
【００１６】
さらに、本発明にかかる栽培用照明器具において、前記折返部の出射端面は、鉢に植栽される植物に対して光が出射するように形成されているものであってもよい。折返部の出射端面は、主面に対して必ずしも直角に形成する必要はなく載置される植物に向かって光が出射するような角度に形成してもよい。かかる構成を採用することによって、出射端面から出射する光を植物の方向へ照射させやすくすることができる。
【００１７】
さらに、本発明にかかる栽培用照明器具において、前記導光板は、全面に拡散溝又は拡散ドットを有する拡散主面と、光源から入射された光を出射する出射主面と、を備えているものであってもよい。かかる構成を採用することで、導光板の主面全体から植物に対して光を照射することができる。
【００１８】
さらに、本発明にかかる栽培用照明器具において、前記導光板は、複数備えられており、前記出射端面からの光が植物に照射される際に、前記出射端面からの光が同一領域に重なり合うように出射するものであってもよい。かかる構成を採用することによって、同一光源ユニットからの光であっても、光の重なり具合を調整することによって、植物に与える光の強さを調整することができる。
【００１９】
さらに、本発明にかかる栽培用照明器具において、前記鉢は前記導光板と同じ透明度及び色を有する素材で作製されているものであってもよい。かかる構成を採用することで、鉢と導光板とが統一感を有し、より美観に優れた栽培用照明器具を提供することができる。
【図面の簡単な説明】
【００２０】
【図１】図１は、第１実施形態にかかる栽培用照明器具１００の斜視図である。
【図２】図２は、第１実施形態にかかる栽培用照明器具１００の分解斜視図である。
【図３】図３は、第１実施形態にかかる栽培用照明器具１００の導光板３０の拡散ドット２６を示す模式図である。
【図４】図４は、第１実施形態にかかる栽培用照明器具１００の拡散ドット２６のバリエーションを示す斜視図である。
【図５】図５は、第１実施形態にかかる栽培用照明器具１００のバリエーションを示す分解斜視図である。
【図６】図６は、第２実施形態にかかる栽培用照明器具１００の斜視図である。
【図７】図７は、第２実施形態にかかる栽培用照明器具１００の分解斜視図である。
【発明を実施するための形態】
【００２１】
本発明にかかる栽培用照明器具１００の実施形態について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号が付されている。
【００２２】
（第１実施形態）
第１実施形態にかかる栽培用照明器具１００が主として図１〜図３に示されている。図１は、第１実施形態にかかる栽培用照明器具１００の斜視図を示す。図２は第１実施形態にかかる栽培用照明器具１００の分解斜視図を示す。第１実施形態にかかる栽培用照明器具１００は、図１に示すように、主として、植物又は植物が植栽される鉢１５が載置される載置部１０と、この載置部１０の下方の支持台５０に配置される光源を含む光源ユニット２０と、この光源ユニット２０からの光を伝達して鉢又は植物に照射する導光板３０と、を備えている。
【００２３】
鉢１５は、植物が植栽されるためのものである。そのため、植物を植栽できる形態であれば、素材を含め、特に限定するものではない。例えば、図１に示すように、三方向に配置される導光板３０に対応するように三角柱形状に形成された鉢１５を使用すると、導光板３０の配置と調和し、美観に優れた栽培用照明器具１００を提供することができる。なお、鉢１５に導光板３０と同じ透明度及び色を有する素材で作製すれば、導光板３０と同化し、観賞用に優れた栽培用照明器具１００とすることができる。鉢１５は、より装飾性を高めるために、図１に示すように、表面に模様を描いたり、模様状に立体の凹凸を施したりした囲い１８（図１には模様、凹凸等は描いていない。）を設け、その囲い１８の中に載置してもよい。
【００２４】
載置部１０は、鉢１５を載置する場所である。載置部１０の素材は、ステンレス、アルミニウム、プラスチック等種々の素材を使用することができる。使用する素材によって、栽培用照明器具１００の印象が変更するため、使用する場所、目的等に応じて使い分けることができる。例えば、載置部１０に導光板３０と同様の透明なアクリル樹脂板等を使用すれば、光源２２（図２）から漏れる光を直接的に上方へ出射させることができる。また、載置部１０として半透明な乳半板を使用すれば、下方からの光が乳半板によって拡散されるため、下方からぼんやりと光が植物全体に照射されることになる。このため、幻想的な印象を植物に与えることができる。また、例えば、載置部１０として金属や不透明プラスチックのような光を完全に遮断する素材を使用すれば、下方からの光を完全に遮ることができ、下方から光が照射されすぎる状態を回避して、上方からのみ光を植物に照射することができる。なお、載置部の形態は、特に限定するものではなく、円形、四角形、六角形その他適宜好適な形態を選択して使用することができる。なお、載置部１０の外周の三方に凹状に切り欠いた切欠部１１を設ければ、導光板３０の配置が位置決めされ、常に均等に三方向へ配置されやすくなり、整った印象の美観に優れた栽培用照明器具１００とすることができる。
【００２５】
光源ユニット２０は、図２に示すように、主として、基板２１と複数の発光ダイオード（以下「ＬＥＤ」という。）からなる光源２２と、基板２１を固定する基板固定部２４と、光源２２に電力を供給する電源ユニット２５とを備えている。
【００２６】
基板２１には、複数の光源２２が等間隔に直線状に配置されている。光源に使用されるＬＥＤは、平面発光型、側面発光型、砲弾型等いずれのタイプであってもよい。好ましくは、平面発光型を使用するとよい。ＬＥＤの光の色は、限定するものではなく、例えば、白色、赤色、橙色、黄色、緑色、青色、藍色又は紫色のいずれかの色若しくはそれらの色の組み合わせ等であってもよい。なお、光源２２の電源として、外部電源をＬＥＤ用に変換して利用してもよいし、栽培用照明器具１００にソーラーパネル等を設け、これらによって発生した電気を利用してもよい。また、栽培用照明器具１００に蓄電器を設けて、ソーラーパネルで発生した電気を蓄電池に充電することにより電気を一旦蓄えて使用してもよい。太陽光発電により蓄電された蓄電池の電気を利用すれば、より省エネルギーに資することになる。
【００２７】
基板固定部２４は、図２に示すように、略Ｕ字形状の断面を有する長柄形状の金属製の部材である。基板２１が略Ｕ字形状の溝の底面に図示しない両面テープ等で貼着される。
【００２８】
電源ユニット２５は、外部から入力された電力を、ＬＥＤの定格に適合させるユニットであり、降圧、直流の定電流への整流、整流後のパルス変調及びノイズの除去等を行い、ＬＥＤに駆動電力を供給する。電源ユニット２５は、例えば、変圧機、整流器、コンデンサ等から構成される。
【００２９】
導光板３０は、光が内部を通過可能な透明な樹脂で作製されており、例えば、メチルメタクリレートやエチルメタクリレート等のメタクリル樹脂の他、メチルアクリレート、エチルアクリレート等のアクリル製樹脂、ポリカーボネート、ポリエチレン等の種々の素材を用いることができる。高透過性を有する素材であれば特に限定するものではない。導光板３０の厚さは、３．０ｍｍ〜１０．０ｍｍ程度のものが使用されるがこれに限定するものではない。本実施形態においては厚さが３．０ｍｍの高透過性を有するメタクリル樹脂を使用している。
【００３０】
導光板３０は、入射端面３１、出射端面３２及び主面３３を有しており、入射端面３１が基板固定部２４に配置された光源２２に対面するように配置されており、光源２２から照射された光を入射端面３１から入射し、少なくともその一部を他の出射端面３２及び主面３３から照射する。導光板３０は、主として、載置部１０の下面側に配置されている光源２２の光を載置部１０の上面側、特に植物の側方又は上方まで導くためのものである。そのため、導光板３０は、載置部１０の下面側に配置されている光源２２の光を載置部１０の上面側に伝達できる形態であれば、どのような形態のものであってもよい。例えば、図２に示すように、基板固定部２４から載置部１０の周囲まで水平に延びた水平部３４と水平部から上方方向へやや内側へ傾くように立設された後、途中から外側へ傾くように立設された立設部３５と内側へ折り返されるように形成された折返部３６で形成されているものが考えられる。折返部３６の先端には、出射端面３２が形成され、この出射端面３２から出射した光は、スポット的に植物に光を照射する。なお。この場合に、出射端面３２は、主面３３に対して直角ではなく、載置される植物に向かって垂直に光が出射される角度に形成されている。
【００３１】
導光板３０は、図３に示すように、片方の拡散主面３３ａのみに複数の拡散ドット３９が形成されている。この拡散ドット３９によって、入射された光が拡散ドット３９で拡散されて、主として出射主面３３ｂから出射する。拡散ドット３９は、凹んだ凹部に形成される。凹部の形状は特に限定するものではなく、図４に示すように、四角錐形状（図４Ａ）、円錐形状（図４Ｂ）、三角錐形状（図４Ｃ）、四角錐台形状（図４Ｄ）、半円球形状（図４Ｅ）等種々の穴の形態を選択することができる。また拡散ドットの作製方法としては、超音波加工、加熱加工、レーザー加工、切削加工等種々の加工方法を採用することができる。四角錐型の拡散ドット３９を超音波加工によって作製する方法としては、先端面に拡散ドット３９を反転させた形状を有する加工ドットが縦横に複数マトリクス状に配置されている超音波加工ホーンを、導光板３０に対して垂直に押圧して、加工ドットの形状が反映された形状の四角錐型の拡散ドット３９を形成する方法がある。本実施形態においては、拡散ドット３９は、略四角錐形状に凹む凹部からなり、四角錐底面に相当する位置が導光板３０の拡散主面３３ａに位置するように設けられている。なお、個々の拡散ドット３９の大きさは、同じであっても異なっていても良い。例えば、光源２２から遠ざかるにつれて、四角錐型の拡散ドット３９の各辺を徐々に長くしたり、四角錐型の拡散ドット３９の深さを徐々に深くしたりしても良い。こうすれば、光源２２から近く光が強い位置では拡散される光量が小さくなり、光源２２から遠ざかるにつれて拡散される光量が大きくなるため、出射主面３３ｂに到達する光の光量を均等に近づけることができる。また、より強く光を照射したい部分のみに大きい拡散ドット３９を形成したりしてもよいし、一部のみが異なる外観を呈するように、一部のみ異なる形状の拡散ドット３９を形成してもよい。本実施形態では拡散ドット３９の各辺の長さが約０．６ｍｍ、深さが約０．４ｍｍであり、隣り合う四角錐型の拡散ドット３９間のピッチが２．０ｍｍに形成されている。もちろん、これに限定するものではなく、適宜好適なサイズを選択することができる。好ましくは、四角錐型の拡散ドット３９の各辺の長さは、０．２ｍｍ〜１．５ｍｍで選択するとよい。また、四角錐型の拡散ドット３９の深さは、０．４ｍｍ〜０．８ｍｍで選択するとよい。また、隣り合う四角錐型の拡散ドット３９間のピッチについても特に限定するものではなく、例えば、１．５ｍｍ〜８．０ｍｍのピッチの間から適宜選択することができる。好ましくは、１．５ｍｍ〜３．０ｍｍのピッチに作製するとよい。なお、拡散ドット３９は、必ずしも導光板３０の拡散主面３３ａのみに形成しなればならないものではなく、出射主面３３ｂのみに設けてもよいし、拡散主面３３ａ及び出射主面３３ｂの両側に設けてもよい。また、拡散ドット３９は、導光板３０の主面３３の全面に設けなればならないものではなく、植物に照射したい場所に応じて設けることができる。例えば、載置される植物の下方から光を照射したい場合は、水平部３４に拡散ドット３９を設ければよい。植物の側面下方側から光を照射したい場合は、下方の立設部に拡散ドット３９を設ければよい。また、植物の側面上方側から光を照射したい場合は、上方の立設部に拡散ドット３９を設ければよい。さらに、植物の上方側から光を照射したい場合は、折返部３６に拡散ドット３９を設ければよい。
【００３２】
なお、拡散ドット３９の形状としては、凹状に凹んだ凹部に限らず、凸状の膨らんだ拡散凸部（図４Ｆ）であってもよい。拡散凸部としては、スクリーン印刷やシルク印刷等によって、盛り上がるように（凸状）主面３３に形成してもよい。
【００３３】
底面導光板３８は、図２に示すように、導光板３０の水平部３４に並行して配置される。この底面導光板３８は、植物の下方側から光をより強く照射するために配置されるものであり、導光板３０と同様に拡散ドット３９が表面に設けられている。導光板３０及び底面導光板３８の２つの厚さの合計は、基板固定部２４の溝の幅と同様の長さになっており、導光板３０及び底面導光板３８を基板固定部２４に嵌め込むと隙間なく嵌め込まれ、導光板３０の入射端面３１及び底面導光板３８の入射端面３８ａの対面に光源２２が位置することになる。導光板３０からの光や日光による光は、ほとんどが上方又は側方から照射されるため、他の葉や花によって遮られ光が当たらない葉や花が存在する。しかし、下面側から光を照射することによって、こうした光が当たらない葉や花にも下面側から光を照射することができる。なお、載置部１０として金属や不透明プラスチックのような光を完全に遮断する素材を使用した場合には、底面導光板３８は設置しなくてもよい。この場合、植物に照射される光は、導光板３０による側方又は上方からの光のみとなる。
【００３４】
支持台５０は、載置部１０と同様の大きさの円形の非透過性の支持板からなり、上述した基板固定部２４、導光板３０、底面導光板３８が上面に取り付けられる。基板固定部２４は、中心から同距離の位置に配置され、それぞれの溝の開口がそれぞれ三方向外側へ向くように配置される。従って、３つの導光板３０及び底面導光板３８はそれぞれの溝の開口に嵌めこまれた三方向に配置される。光源２２が非透過性の支持台５０の上面に配置されることで光源２２の光が上方へ反射されることになるとともに、光が下面側へ拡散することを防止することができる。一方、電源ユニット２５は、支持台５０の下面側に配置される。これにより、載置部１０の上方側から視た場合に電源ユニット２５が視認されることが防止され、美観性に優れた栽培用照明器具１００とすることができる。なお、電源ユニット２５は、外部からの電源を支持台５０に形成される孔（図示にしない。）に通された配線７０を介して光源２２に電源を供給する。さらに、支持台の下面側には、植栽部１６に空気又は水を挿入するためのポンプその他の任意の構成部品８０が配置される。その他の構成部品８０としては、例えば、鉢１５の植栽部１６内に水が張ってある場合に、植栽部１６内の水を清浄に維持するための循環させるシステムや植栽部１６内の水が停滞しないように常に流れを発生させるシステム等がある。なお、ポンプその他の構成部品８０は、必ずしも支持台の下面側に配置しなければならないものではなく、他の場所に配置してもよいし、栽培用照明器具の外部にあってもよい。
【００３５】
さらに、所定の場所に載置しやすいように、支持台５０の下面側に、底板９０及びこの底板９０を介して脚部９５が設けられている。これらによって支持台５０の下面と底板９０との間に電源ユニット２５の隙間を確保した状態で固定用仲介部材６０と固定される。さらに、支持台５０に載置部１０が基板固定部２４の高さ分の隙間を確保しつつ固定用仲介部材６０に螺合部材９１によって連結される。こうして載置部１０を含むすべての構成部材が支持台５０に固定され、栽培用照明器具１００が完成する。
【００３６】
以上のように形成された栽培用照明器具１００は、中心に鉢１５に植物（図示しない。）が植栽される。出射端面３２から植物に向かって光が照射され、主面３３からも載置部１０の中心方向へ向かって光が照射される。従って、複数の導光板３０の出射端面３２からの光によって、スポット的な光を植物に与えることができる一方で、主面３３からの光によって、植物全体に光を照射することができる。
【００３７】
なお、上述した実施の形態では、導光板と同じ素材で作製された載置部１０を有するものとしたが、載置部１０は必ずしも設置しなくてもよい。この場合は、図５に示すように、囲い１８を設けることなく鉢１５自体に模様等を施して直接に基板固定部２４に固定してもよい。
【００３８】
（第２実施形態）
第２実施形態にかかる栽培用照明器具１００が主として図６〜図７に示されている。図６は、第２実施形態にかかる栽培用照明器具１００の斜視図を示す。図７は第２実施形態にかかる栽培用照明器具１００の分解斜視図を示す。第２実施形態にかかる栽培用照明器具１００は、図６及び図７に示すように、主として、植物又は植物が植栽される鉢１５と、この鉢１５の下方に配置される光源ユニット２０と、この光源ユニット２０からの光を伝達して植物に照射する第１導光板３０ａ及び第２導光板３０ｂと、を備えている。
【００３９】
鉢１５は、図７に示すように、植栽部１６がドーナッツ状に形成されている。植栽部１６の中心には円筒形の中空部１７が設けられる。この中空部１７には、電源ユニット２５、さらに植栽部１６に空気又は水を挿入するためのポンプその他の任意の構成部品８０が配置される。その他の構成部品８０としては、例えば、鉢１５の植栽部１６内に水が張ってある場合に、植栽部１６内の水を清浄に維持するための循環させるシステムや植栽部１６内の水が停滞しないように常に流れを発生させるシステム等がある。中空部１７には、蓋部材１９が被せられるようになっており、内部の電源ユニット２５等が視認できないように隠すことができる。この第２実施形態にかかる鉢１５も第１実施形態と同様に素材等は特に限定するものではないが、透明なアクリル樹脂等を使用すれば、下方からの光が鉢１５内に導入されて幻想的な光を発する鉢１５とすることができる。
【００４０】
光源ユニット２０は、第１実施形態と同様に、主として、基板２１と複数の光源２２と、基板２１を固定する基板固定部２４と、光源２２に電力を供給する電源ユニット２５とを備えている。第２実施形態においては、基板２１、光源２２及び基板固定部２４の組み合わせが６セット配置されている。基板２１、光源２２及び基板固定部２４及び電源ユニット２５の各構成は、第１実施形態と同様である。
【００４１】
第２実施形態における導光板は、合計で６枚設置されている。６枚の導光板のうち３枚の第１導光板３０ａは第１実施形態の導光板３０と同様の形態である。残りの３枚の第２導光板３０ｂは、第１実施形態の導光板３０と比較して図６及び図７に示すように、約１／２の高さに形成されている。
【００４２】
支持台５０は、鉢１５とほぼ同様の大きさの円形の非透過性の板からなり、基板固定部２４が上面に取り付けられる。基板固定部２４は、中心から同距離の位置に配置され、それぞれの溝の開口がそれぞれ六方向外側へ向くように、略六角形に配置される。そして、第１導光板３０ａと第２導光板３０ｂがそれぞれ交互に配置されるように基板固定部２４に取り付けられる。そして、光源２２からの光がそれぞれ第１導光板３０ａと第２導光板３０ｂの入射端面３１から入射され、出射端面３２から出射される。第１導光板３０ａの出射端面３２は、植物に対して第１実施形態と同様の位置に配置されるので、植物より上方から光をスポット的に照射する。第２導光板３０ｂは、第１導光板３０ａの出射端面３２より低く、鉢１５の高さより若干高い位置に配置されている。そのため、植栽された植物の根本付近の光を照射するように配置される。この第２導光板３０ｂから発せられる光は、特に、鉢１５に水が張ってある場合には、水の中に光が導入されることによって、鉢１５内の水全体が光ることによって、さらに幻想的な栽培用照明器具１００とすることができる。さらに、鉢１５内の水全体が光ることによって、上方又は側方から照射される導光板３０からの光や日光による光が当たらない影になる葉や花にも、鉢１５から光を照射することによって、こうした葉や花にも光を照射することができる。
【００４３】
以上のように形成された第２実施形態にかかる栽培用照明器具１００は、中心に電源ユニット２５等の構成部材が配置されており、蓋部材１９によって、これらを外部から視認することができないので、美観性に優れたものとなる。また、中心には植物を植栽するスペースを設けず、周囲に植物が配置される構成を採用したことによって、より少ない植物で大きな範囲に多くの植物があるように見せることができる。
【００４４】
なお、本発明は上述した実施形態に何ら限定されることはなく、本発明の技術的範囲に属する限り種々の態様で実施し得ることはいうまでもない。
【００４５】
上述した実施の形態では、導光板３０は透過性を有するメタクリル樹脂製の板であるものとしたが、透過性を有する素材であればメタクリル樹脂製に限定されるものでなく、メチルメタクリレートやエチルメタクリレート等のメタクリル樹脂以外にも、例えば、メチルアクリレート、エチルアクリレート等のアクリル製樹脂、ＡＢＳ樹脂、ポリカーボネート、ポリエチレン等の種々の素材を用いることができる。いずれの場合であっても、上述した実施の形態と同様の効果が得られる。
【００４６】
上述した実施の形態では、導光板３０の主面に複数の拡散ドット３９を備えるものとしたが、溝であってもよい。この場合も、上述した実施の形態と同様の効果が得られる。
【００４７】
上述した実施の形態では、導光板４６の表面に略四角錐形状の拡散ドット３９を複数有するものとしたが、略四角錐形状に限定されるものではなく、略三角錐形状や角柱形状、半球形状等の種々の形状であってもよい。また、レーザー加工機やプロッターを用いて表面を加工してもよいし、スクリーン印刷やシルク印刷等によって凸状に加工してもよいし、あらかじめ凹凸が刻まれた金型を用いて射出成形で形成してもよい。いずれの場合であっても、上述した実施の形態と同様の効果が得られる。
【産業上の利用可能性】
【００４８】
上述した実施の形態で示すように、植物を植栽する栽培用照明器具として利用することができる。
【符号の説明】
【００４９】
１０…載置部、１１…切欠部、１５…鉢、１６…植栽部、１７…中空部、
１９…蓋部材、２０…光源ユニット、２１…基板、２２…光源、
２４…基板固定部、２５…電源ユニット、２６…拡散ドット、３０…導光板、
３０ａ…第１導光板、３０ｂ…第２導光板、３１…入射端面、３２…出射端面、
３３…主面、３３ａ…拡散主面、３３ｂ…出射主面、３４…水平部、
３５…立設部、３６…折返部、３８…底面導光板、３８ａ…入射端面、
３９…拡散ドット、４６…導光板、５０…支持台、６０…固定用仲介部材、
７０…配線、８０…構成部品、９０…底板、９１…螺合部材、９５…脚部、
１００…栽培用照明器具
【図１】
2014212716.tif 000003
【図２】
2014212716.tif 000004
【図３】
2014212716.tif 000005
【図４】
2014212716.tif 000006
【図５】
2014212716.tif 000007
【図６】
2014212716.tif 000008
【図７】
2014212716.tif 000009